(57)【要約】【課題】筐体の一側板に３つ以上の同軸コネクタを配設しても大型化せず、該同軸コネクタの芯線を不所望に長くしたり回路設計の自由度を犠牲にする必要もないテレビチューナを提供すること。【解決手段】筐体１の一側板１ａに４つの同軸コネクタ２〜５を上下に２つずつ分散して配設すると共に、筐体１内に回路基板６を傾斜姿勢で設置して、回路基板６の一側縁部６ａを筐体１の側板１ａの対角線に沿うように該側板１ａに隣接させる。回路基板６には、側板１ａの上段側に配設された同軸コネクタ２，３の芯線２１，３１が接続される地上波デジタルチューナ部と、下段側に配設された同軸コネクタ４，５の芯線４１，５１が接続される衛星波デジタルチューナ部とが設けられている。また、回路基板６の側縁部６ａに設けた切欠き６１内に芯線５１を配置させることによって、すべての同軸コネクタ２〜５の芯線２１〜５１の先端部が回路基板６の同一面に半田付けされるようにした。【選択図】図２
2009283995.tif 000002
【特許請求の範囲】
【請求項１】
筐体と、この筐体の方形状の一側板に上下に分散して配設された３つ以上の同軸コネクタと、第１のチューナ部および第２のチューナ部を有し前記筐体内に傾斜姿勢で設置された回路基板とを備え、
前記回路基板の一側縁部が前記側板の対角線に沿うように該側板に隣接していると共に、前記３つ以上の同軸コネクタのうち所定の同軸コネクタの芯線を前記第１のチューナ部に接続して残余の同軸コネクタの芯線を前記第２のチューナ部に接続したことを特徴とするテレビチューナ。
【請求項２】
請求項１の記載において、前記筐体の前記側板に４つの同軸コネクタを上下に２つずつ分散して配設し、このうち上段側の２つの同軸コネクタとして前記第１のチューナ部に接続される第１の入力コネクタおよび第１の出力コネクタを並設すると共に、下段側の２つの同軸コネクタとして前記第２のチューナ部に接続される第２の入力コネクタおよび第２の出力コネクタを並設し、これら４つの同軸コネクタの各芯線が傾斜姿勢の前記回路基板の前記側縁部に向かって延びていることを特徴とするテレビチューナ。
【請求項３】
請求項１または２の記載において、前記筐体の前記側板に隣接する前記回路基板の一側縁部に切欠きを設け、前記側板に配設された一部の同軸コネクタの芯線を前記切欠き内に配置させることによって、前記側板に配設されたすべての同軸コネクタの芯線の先端部が前記回路基板の同一面に半田付けされるようにしたことを特徴とするテレビチューナ。
【請求項４】
請求項１〜３のいずれか１項の記載において、前記筐体の前記側板の上段側に配設された同軸コネクタと下段側に配設された同軸コネクタは、一方が地上波デジタル放送用で他方が衛星波デジタル放送用であることを特徴とするテレビチューナ。
【発明の詳細な説明】
【技術分野】
【０００１】
本発明は、筐体の一側板に３つ以上の同軸コネクタが配設されているテレビチューナに係り、特に、筐体内に設置される回路基板のレイアウトや形状に関するものである。
【背景技術】
【０００２】
地上波デジタルチューナ部と衛星波デジタルチューナ部とを備えたテレビチューナを構成する際に、両チューナ部を１枚の回路基板に設けておけば、回路基板のみならず筐体も共通化できるため、部品点数を削減できてコスト面で有利となる。この場合、外部ケーブルと接続される同軸コネクタ（入力コネクタや出力コネクタ）はテレビチューナの筐体の一側板に配設され、各同軸コネクタの芯線が筐体内で回路基板の対応するチューナ部に接続される。つまり、地上波デジタル放送用の同軸コネクタは回路基板の地上波デジタルチューナ部に接続され、衛星波デジタル放送用の同軸コネクタは回路基板の衛星波デジタルチューナ部に接続される。なお、出力コネクタは例えばテレビ視聴時に別の番組の録画が行えるようにするためのスルー出力用であり、入力コネクタから入力されたデジタル放送信号がチューナ部で分配されて該出力コネクタに供給される。
【０００３】
ところで、このように回路基板や筐体が共通で地上波デジタル放送用の入出力コネクタと衛星波デジタル放送用の入出力コネクタとを備えたテレビチューナにおいては、図５に示すように、計４つの同軸コネクタ８０を筐体７０の一側板７０ａに一列に並べて配設し、筐体７０内に設置された回路基板７１に各同軸コネクタ８０の芯線８１を半田付けするという構成が考えられる（例えば、特許文献１参照）。
【特許文献１】特開２００８−２８６０３号公報
【発明の開示】
【発明が解決しようとする課題】
【０００４】
しかしながら、図５に示すように、４つの同軸コネクタ８０を筐体７０の一側板７０ａに一列に並べて配設した場合、筐体７０が不所望に大型化してしまうためテレビチューナのスペースファクタが悪くなるという問題があった。
【０００５】
そこで本発明者らは大型化を抑制するため、図６に示すように、筐体７０の一側板７０ａに３つ以上の同軸コネクタ８０を上下に分散して配設するという構成について検討した。しかるに、かかる構成を採用した場合、上段側に配設される同軸コネクタ８０の芯線８１を不所望に長くしないと回路基板７１に接続できないため、この芯線８１の先端部が回路基板７１に対し位置ずれを起こしやすくなって組立作業性が低下したり、インピーダンスの整合が困難になるという不具合を生じることが判明した。また、筐体７０の大型化を抑制する場合、複数のチューナ部を有する回路基板７１の基板面積を抑制しなければならないので、回路基板７１に形成される配線パターンの引き回しが制約されて回路設計の自由度が低下する虞もあった。
【０００６】
本発明は、このような従来技術の実情に鑑みてなされたもので、その目的は、筐体の一側板に３つ以上の同軸コネクタを配設しても大型化せず、該同軸コネクタの芯線を不所望に長くしたり回路設計の自由度を犠牲にする必要もないテレビチューナを提供することにある。
【課題を解決するための手段】
【０００７】
上記の目的を達成するため、本発明のテレビチューナは、筐体と、この筐体の方形状の一側板に上下に分散して配設された３つ以上の同軸コネクタと、第１のチューナ部および第２のチューナ部を有し前記筐体内に傾斜姿勢で設置された回路基板とを備え、前記回路基板の一側縁部が前記側板の対角線に沿うように該側板に隣接していると共に、前記３つ以上の同軸コネクタのうち所定の同軸コネクタの芯線を前記第１のチューナ部に接続して残余の同軸コネクタの芯線を前記第２のチューナ部に接続するという構成にした。例えば、筐体の前記側板に４つの同軸コネクタを上下に２つずつ分散して配設し、このうち上段側の２つの同軸コネクタとして第１のチューナ部に接続される第１の入力コネクタおよび第１の出力コネクタを並設すると共に、下段側の２つの同軸コネクタとして第２のチューナ部に接続される第２の入力コネクタおよび第２の出力コネクタを並設し、これら４つの同軸コネクタの各芯線が傾斜姿勢の回路基板の前記側縁部に向かって延びているという構成にしておけばよい。
【０００８】
このように構成されたテレビチューナでは、３つ以上（例えば４つ）の同軸コネクタを筐体の一側板に上下に分散して配設するため、筐体を大型化する必要がなくなる。また、筐体内に傾斜姿勢で設置された回路基板の一側縁部が前記側板の対角線に沿うように該側板に隣接しているため、同軸コネクタが前記側板の上段側に配設されていようと下段側に配設されていようと、該同軸コネクタの芯線を不所望に長くすることなく回路基板に接続させることができる。したがって、筐体内へ回路基板を組み付ける際に、同軸コネクタの芯線の先端部が回路基板に対し位置ずれを起こしにくくなって組立作業性が向上し、インピーダンスも整合させやすくなる。また、筐体内に傾斜姿勢で設置される回路基板は比較的広い基板面積を確保できるため、回路設計の自由度が高めやすくなる。
【０００９】
上記の構成において、筐体の前記側板に隣接する回路基板の一側縁部に切欠きを設け、前記側板に配設された一部の同軸コネクタの芯線を前記切欠き内に配置させることによって、前記側板に配設されたすべての同軸コネクタの芯線の先端部が前記回路基板の同一面に半田付けされるようにしてあると、回路基板に対する同軸コネクタの芯線の半田付け工程を簡素化できる。しかも、回路基板を前記側板に沿って筐体内へ組み付ける際に、回路基板の前記切欠きが逃げ部となって同軸コネクタの芯線との干渉を回避できるため、回路基板を筐体内の所定位置に容易に組み付けることができる。
【００１０】
なお、上記の構成において、筐体の前記側板の上段側に配設された同軸コネクタと下段側に配設された同軸コネクタは、例えば一方が地上波デジタル放送用で他方が衛星波デジタル放送用であればよく、こうすることによって地上波デジタル放送用の入力コネクタおよび出力コネクタと衛星波デジタル放送用の入力コネクタおよび出力コネクタとを備えたコンパクトで高性能なテレビチューナが安価に実現できる。
【発明の効果】
【００１１】
本発明のテレビチューナは、３つ以上（例えば４つ）の同軸コネクタを筐体の一側板に上下に分散して配設するため筐体を大型化する必要がない。また、筐体内に傾斜姿勢で設置された回路基板の一側縁部が前記側板の対角線に沿うように該側板に隣接しているため、同軸コネクタの芯線を不所望に長くすることなく回路基板に接続させることができると共に、回路基板に比較的広い基板面積が確保できる。それゆえ、筐体内へ回路基板を組み付ける際に同軸コネクタの芯線の先端部が回路基板に対し位置ずれを起こしにくくなって組立作業性が向上し、かつインピーダンスが整合させやすくなり、さらに回路設計の自由度が高めやすくなる。
【発明を実施するための最良の形態】
【００１２】
発明の実施の形態を図面を参照して説明すると、図１は本発明の第１実施形態例に係るテレビチューナの外観図、図２は該テレビチューナの同軸コネクタと回路基板の接続構造を示す正面図、図３は図２のＡ−Ａ線に沿う断面図である。
【００１３】
これらの図に示すテレビチューナは、金属板からなる筐体１の一側板１ａに４つの同軸コネクタ２〜５を上下に２つずつ分散して配設していると共に、図示せぬ地上波デジタルチューナ部と衛星波デジタルチューナ部とを有する回路基板６を筐体１内に傾斜姿勢で設置している。筐体１は、上部開口および下部開口を有する平面視矩形状の枠状側板１０と、この枠状側板１０の上部開口を蓋閉する上カバー１１と、枠状側板１０の下部開口を蓋閉する下カバー１２とを組み合わせて略直方体の箱状に形成されている。枠状側板１０の一側壁に相当する側板１ａの上段側には地上波デジタル放送用の同軸コネクタ２，３が並設されており、このうち一方の同軸コネクタ２は入力コネクタで他方の同軸コネクタ３は出力コネクタである。また、この側板１ａの下段側には衛星波デジタル放送用の同軸コネクタ４，５が並設されており、このうち一方の同軸コネクタ４は入力コネクタで他方の同軸コネクタ５は出力コネクタである。
【００１４】
回路基板６は、筐体１の内部空間を斜めに仕切って第１の内部空間Ｓ１と第２の内部空間Ｓ２を画成するように該筐体１内に設置されており、この回路基板６の一側縁部６ａが筐体１の側板１ａの対角線に沿うように該側板１ａに隣接している。また、図２と図３に示すように、回路基板６の側縁部６ａには、同軸コネクタ５の芯線５１が配置される切欠き６１が形成されている。そして、筐体１の側板１ａに配設されている４つの同軸コネクタ２〜５のうち、上段側の同軸コネクタ２，３および下段側の同軸コネクタ４の各芯線２１〜４１は第１の内部空間Ｓ１において回路基板６の上面６ｂに接続されており、下段側の同軸コネクタ５の芯線５１は第２の内部空間Ｓ２から切欠き６１内に挿通されて回路基板６の上面６ｂに接続されている。
【００１５】
筐体１の側板１ａの上段側に配設されている２つの同軸コネクタ２，３の芯線２１，３１の先端部は、傾斜姿勢の回路基板６の上面６ｂに搭載できるようにＬ字状に折曲されており、これら両芯線２１，３１の先端部を回路基板６の上面６ｂで図示せぬランド部に半田付けすることによって同軸コネクタ２，３が地上波デジタルチューナ部に接続されている。同様に、側板１ａの下段側に配設されている一方の同軸コネクタ４の芯線４１の先端部は、傾斜姿勢の回路基板６の上面６ｂに搭載できるようにＬ字状に折曲されている。また、側板１ａの下段側に配設されている他方の同軸コネクタ５の芯線５１の先端部は、側縁部６ａの切欠き６１内に配置させたまま回路基板６の上面６ｂに搭載できるように逆Ｌ字状に折曲されている。そして、これら両芯線４１，５１の先端部を回路基板６の上面６ｂで図示せぬランド部に半田付けすることによって同軸コネクタ４，５が衛星波デジタルチューナ部に接続されている。図２に示すように、同軸コネクタ３と同軸コネクタ４は回路基板６の側縁部６ａの近傍に配設されているため、その芯線３１，４１は筐体１内において極めて短い。これに比べて、同軸コネクタ２と同軸コネクタ５の芯線２１，５１は筐体１内において若干長いが、回路基板６が傾斜させてあるため、この回路基板６の側縁部６ａへ向かって延びる各芯線２１，５１の長さは側板１ａの高さ寸法の半分程度で済む。
【００１６】
以上説明したように本実施形態例に係るテレビチューナは、４つの同軸コネクタ２〜５を筐体１の一つの側板１ａに上下に２つずつ分散して配設しているため、筐体１を大型化する必要がない。また、筐体１内に回路基板６を傾斜姿勢で設置し、この回路基板６の一側縁部６ａを筐体１の側板１ａの対角線に沿うように該側板１ａに隣接させているため、すべての同軸コネクタ２〜５について、その芯線２１〜５１を不所望に長くすることなく回路基板６の対応するチューナ部に接続させることができる。したがって、筐体１内へ回路基板６を組み付ける際に、同軸コネクタ２〜５の芯線２１〜５１の先端部が回路基板６に対し位置ずれを起こしにくくなって組立作業性が向上し、インピーダンスも整合させやすい。また、筐体１内に傾斜姿勢で設置される回路基板６は比較的広い基板面積を確保できるため、回路基板６に形成される配線パターンの引き回しが容易となって回路設計の自由度が高めやすい。
【００１７】
また、本実施形態例に係るテレビチューナは、筐体１の側板１ａに隣接する回路基板６の一側縁部６ａに切欠き６１を設け、この切欠き６１内に同軸コネクタ５の芯線５１を配置させることによって、すべての同軸コネクタ２〜５の芯線２１〜５１の先端部が回路基板６の同一面（上面６ｂ）に半田付けされるようにしてあるため、回路基板６に対する芯線２１〜５１の半田付け工程を簡素化できる。しかも、回路基板６を下方から側板１ａに沿って筐体１内へ組み付けるときに切欠き６１が芯線５１用の逃げ部として機能するため、回路基板６を筐体１内の所定位置に容易に組み付けることができる。したがって、本実施形態例によれば、地上波デジタル放送用の同軸コネクタ２，３（入力コネクタ２および出力コネクタ３）と衛星波デジタル放送用の同軸コネクタ４，５（入力コネクタ４および出力コネクタ５）とを備えたコンパクトで高性能なテレビチューナを安価に実現することができる。
【００１８】
図４は本発明の第２実施形態例に係るテレビチューナの同軸コネクタと回路基板の接続構造を示す正面図であって、図２に対応する部分には同一符号を付してあるため、重複する説明は省略する。
【００１９】
この第２実施形態例に係るテレビチューナは、筐体１の側板１ａに隣接する回路基板６の一側縁部に前記切欠き６１が設けられておらず、４つの同軸コネクタ２〜５の芯線２１〜５１を、筐体１内に傾斜姿勢で設置された回路基板６の上面６ｂと下面６ｃに振り分けて半田付けするようにした点が、前述した第１実施形態例と大きく異なっている。すなわち、この第２実施形態例において、筐体１の側板１ａに上下に２つずつ分散して配設されている同軸コネクタ２〜５のうち、上段側の一方の同軸コネクタ２の芯線２１は、その先端部がＬ字状に折曲されて第１の内部空間Ｓ１で回路基板６の上面６ｂに接続されている。また、上段側の他方の同軸コネクタ３と下段側の２つの同軸コネクタ４，５の各芯線３１〜５１は、その先端部が逆Ｌ字状に折曲されて第２の内部空間Ｓ２で回路基板６の下面６ｃに接続されている。また、この第２実施形態例では、回路基板６を図４の矢印方向から筐体１内へ斜めに挿入して組み付けることができる。
【００２０】
なお、上記の各実施形態例では、筐体１の一つの側板１ａに４つの同軸コネクタ２〜５を分散して配設した場合について説明したが、３つまたは５つ以上の同軸コネクタを筐体の一側板に分散して配設する場合にも、本発明を適用することによってほぼ同様の効果が期待できる。
【図面の簡単な説明】
【００２１】
【図１】本発明の第１実施形態例に係るテレビチューナの外観図である。
【図２】第１実施形態例に係るテレビチューナの同軸コネクタと回路基板の接続構造を示す正面図である。
【図３】図２のＡ−Ａ線に沿う断面図である。
【図４】本発明の第２実施形態例に係るテレビチューナの同軸コネクタと回路基板の接続構造を示す正面図である。
【図５】従来例に係るテレビチューナの筐体の一側板を示す説明図である。
【図６】他の従来例に係るテレビチューナの同軸コネクタと回路基板の接続構造を示す説明図である。
【符号の説明】
【００２２】
１  筐体
１ａ  （筐体の）一側板
２  同軸コネクタ（第１の入力コネクタ）
３  同軸コネクタ（第１の出力コネクタ）
４  同軸コネクタ（第２の入力コネクタ）
５  同軸コネクタ（第２の出力コネクタ）
２１，３１，４１，５１  芯線
６  回路基板
６ａ  （回路基板の）一側縁部
６１  切欠き
【図１】
2009283995.tif 000003
【図２】
2009283995.tif 000004
【図３】
2009283995.tif 000005
【図４】
2009283995.tif 000006
【図５】
2009283995.tif 000007
【図６】
2009283995.tif 000008